【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  所定の拡散コードによりある帯域に拡散されたスペクトル拡散信号を受信するスペクトル拡散受信機であって、
所定周波数のローカル信号を出力するローカル発振器と、
受信信号の拡散コードに応じてローカル拡散コードを生成するローカル拡散コード生成手段と、
上記ローカル発振器によるローカル信号および上記ローカル拡散コード生成手段によるローカル拡散コードに基づいてリファレンスローカル信号を生成し、受信信号および上記リファレンスローカル信号に基づいて位相差を有する２つの信号を生成し、上記位相差を持つ２つの信号に基づいて逆拡散を行うダイレクトコンバージョン回路と
を有するスペクトル拡散受信機。
【請求項２】  上記ダイレクトコンバージョン回路は、
上記ローカル信号と上記ローカル拡散コードを乗算し、リファレンスローカル信号として出力する乗算器と、
受信信号の位相をシフトする第１の位相シフタと、
上記リファレンスローカル信号の位相をシフトする第２の位相シフタと、
上記リファレンスローカル信号と上記第１の位相シフタの出力信号とを加算する第１の加算器と、
受信信号と上記第２の位相シフタの出力信号とを加算する第２の加算器と、
上記第１の加算器の出力の信号レベルを検波する第１の検波器と、
上記第２の加算器の出力の信号レベルを検波する第２の検波器と
を有する請求項１記載のスペクトル拡散受信機。
【請求項３】  上記ダイレクトコンバージョン回路は、
上記第１の検波器の出力信号に対して所定のフィルタリング処理を行う第１のフィルタと、
上記第２の検波器の出力信号に対して所定のフィルタリング処理を行う第２のフィルタと
をさらに有する請求項２記載のスペクトル拡散受信機。
【請求項４】  上記ダイレクトコンバージョン回路は、
受信信号の信号レベルを検波する第３の検波器
をさらに有する請求項２記載のスペクトル拡散受信機。
【請求項５】  上記ダイレクトコンバージョン回路は、
上記第１の検波器の出力信号に対して所定のフィルタリング処理を行う第１のフィルタと、
上記第２の検波器の出力信号に対して所定のフィルタリング処理を行う第２のフィルタと、
上記第３の検波器の出力信号に対して所定のフィルタリング処理を行う第３のフィルタと
をさらに有する請求項４記載のスペクトル拡散受信機。
【請求項６】  上記ダイレクトコンバージョン回路は、
上記ローカル拡散コードにより上記ローカル信号を変調し、リファレンスローカル信号として出力する変調器と、
受信信号の位相をシフトする第１の位相シフタと、
上記リファレンスローカル信号の位相をシフトする第２の位相シフタと、
上記リファレンスローカル信号と上記第１の位相シフタの出力信号とを加算する第１の加算器と、
受信信号と上記第２の位相シフタの出力信号とを加算する第２の加算器と、
上記第１の加算器の出力の信号レベルを検波する第１の検波器と、
上記第２の加算器の出力の信号レベルを検波する第２の検波器と
を有する請求項１記載のスペクトル拡散受信機。
【請求項７】  上記ダイレクトコンバージョン回路は、
上記第１の検波器の出力信号に対して所定のフィルタリング処理を行う第１のフィルタと、
上記第２の検波器の出力信号に対して所定のフィルタリング処理を行う第２のフィルタと
をさらに有する請求項６記載のスペクトル拡散受信機。
【請求項８】  上記ダイレクトコンバージョン回路は、
受信信号の信号レベルを検波する第３の検波器
をさらに有する請求項６記載のスペクトル拡散受信機。
【請求項９】  上記ダイレクトコンバージョン回路は、
上記第１の検波器の出力信号に対して所定のフィルタリング処理を行う第１のフィルタと、
上記第２の検波器の出力信号に対して所定のフィルタリング処理を行う第２のフィルタと、
上記第３の検波器の出力信号に対して所定のフィルタリング処理を行う第３のフィルタと
をさらに有する請求項８記載のスペクトル拡散受信機。
【請求項１０】  上記変調器は直交変調器を有する
請求項６記載のスペクトル拡散受信機。
【請求項１１】  上記リファレンスローカル信号に含まれる拡散コードは、受信信号の拡散コードに同期している
請求項１記載のスペクトル拡散受信機。
【請求項１２】  上記受信信号のキャリア周波数は、上記リファレンスローカル信号のキャリア周波数に略等しい
請求項１記載のスペクトル拡散受信機。
【請求項１３】  少なくとも第１の検波器と第２の検波器の一つは、二乗検波器を有する
請求項２記載のスペクトル拡散受信機。
【請求項１４】  少なくとも第１、第２、および第３の検波器の一つは、二乗検波器を有する
請求項２記載のスペクトル拡散受信機。
【請求項１５】  少なくとも第１の検波器と第２の検波器の一つは、二乗検波器を有する
請求項６記載のスペクトル拡散受信機。
【請求項１６】  少なくとも第１、第２、および第３の検波器の一つは、二乗検波器を有する
請求項８記載のスペクトル拡散受信機。
【請求項１７】  所定の拡散コードによりある帯域に拡散されたスペクトル拡散信号を受信するスペクトル拡散受信機であって、
所定周波数のローカル信号を出力するローカル発振器と、
受信信号および上記ローカル発振器によるローカル信号に基づいて同期および同期保持処理を介してローカル拡散コードを生成するローカル拡散コード同期保持手段と、
上記ローカル発振器によるローカル信号および上記ローカル拡散コード同期保持手段によるローカル拡散コードに基づいてリファレンスローカル信号を生成し、受信信号および上記リファレンスローカル信号に基づいて位相差を有する２つの信号を生成し、上記位相差を持つ２つの信号に基づいて逆拡散を行うダイレクトコンバージョン回路と
を有するスペクトル拡散受信機。
【請求項１８】  上記ローカル拡散コード同期保持回路は、
制御信号の値に基づいて上記ローカル拡散コードを生成するローカル拡散コード生成器と、
所定の時間だけ上記生成されたローカル拡散コードを遅延させる第１の位相調整手段と、
所定の時間だけ上記生成されたローカル拡散コードを進行させる第２の位相調整手段と、
上記ローカル信号と上記第１の位相調整手段の出力信号を乗算する第１の乗算器と、
上記ローカル信号と上記第２の位相調整手段の出力信号を乗算する第２の乗算器と、
上記受信信号と上記第１の乗算器の出力信号とを加算する第１の加算器と、
上記第１の加算器の出力信号の振幅成分を検波する第１の検波器と、
上記第１の検波器の出力信号の第１のエンベロープを検波する第１のエンベロープ検波手段と、
上記受信信号と上記第２の乗算器の出力信号とを加算する第２の加算器と、
上記第２の加算器の出力信号の振幅成分を検波する第１の検波器と、
上記第２の検波器の出力信号の第２のエンベロープを検波する第２のエンベロープ検波手段と、
上記第１のエンベロープと第２のエンベロープ間の差がゼロに近づいて減少するように上記制御信号を生成する制御信号生成手段と
を有する請求項１７記載のスペクトル拡散受信機。
【請求項１９】  上記ローカル拡散コード同期保持回路は、
制御信号の値に基づいて上記ローカル拡散コードを生成するローカル拡散コード生成器と、
所定の時間だけ上記生成されたローカル拡散コードを遅延させる第１の位相調整手段と、
所定の時間だけ上記生成されたローカル拡散コードを進行させる第２の位相調整手段と、
上記ローカル信号と上記第１の位相調整手段の出力信号を乗算する第１の乗算器と、
上記ローカル信号と上記第２の位相調整手段の出力信号を乗算する第２の乗算器と、
上記受信信号の位相をシフトする第１の位相シフタと、
上記第１の乗算器の出力信号の位相をシフトする第２の位相シフタと、
上記第２の乗算器の出力信号の位相をシフトする第３の位相シフタと、
上記受信信号の位相をシフトする第４の位相シフタと、
上記第１の位相シフタの出力信号と上記第１の乗算器の出力信号とを加算する第１の加算器と、
上記受信信号と上記第２の位相シフタの出力信号とを加算する第２の加算器と、
上記受信信号と上記第３の位相シフタの出力信号とを加算する第３の加算器と、
上記第２の乗算器の出力信号と上記第４の位相シフタの出力信号とを加算する第４の加算器と、
上記第１の加算器の出力信号の信号レベルを検波する第１の検波器と、
上記第２の加算器の出力信号の信号レベルを検波する第２の検波器と、
上記第３の加算器の出力信号の信号レベルを検波する第３の検波器と、
上記第４の加算器の出力信号の信号レベルを検波する第４の検波器と、
上記第１の検波器の出力に対して所定のフィルタリング処理を行う第１のフィルタと、
上記第２の検波器の出力に対して所定のフィルタリング処理を行う第２のフィルタと、
上記第３の検波器の出力に対して所定のフィルタリング処理を行う第３のフィルタと、
上記第４の検波器の出力に対して所定のフィルタリング処理を行う第４のフィルタと、
上記第１および第２のフィルタの出力に基づいて第１のノルムを計算する第１のノルム回路と、
上記第３および第４のフィルタの出力に基づいて第２のノルムを計算する第２のノルム回路と、
上記第１のノルムと第２のノルム間の差がゼロに近づいて減少するように上記制御信号を生成する制御信号生成手段と
を有する請求項１７記載のスペクトル拡散受信機。
【請求項２０】  少なくとも上記第１、第２、第３、および第４の検波器の一つは二乗検波器を有する
請求項１９記載のスペクトル拡散受信機。
【請求項２１】  上記ローカル拡散コード同期保持回路は、
上記第１、第２、第３、および第４のフィルタの出力からＤＣオフセットを除去する手段
を有する請求項１９記載のスペクトル拡散受信機。
【請求項２２】  上記ローカル拡散コード同期保持回路は、
制御信号の値に基づいて上記同相ローカル拡散コードを生成する第１のローカル拡散コード生成器と、
制御信号の値に基づいて上記直交ローカル拡散コードを生成する第２のローカル拡散コード生成器と、
所定の時間だけ上記生成された同相および直交ローカル拡散コードを遅延させる第１の位相調整手段と、
所定の時間だけ上記生成された同相および直交ローカル拡散コードを進行させる第２の位相調整手段と、
上記第１の位相調整手段の出力信号により上記ローカル信号を変調する第１の直交変調器と、
上記第２の位相調整手段の出力信号により上記ローカル信号を変調する第２の直交変調器と、
上記受信信号の位相をシフトする第１の位相シフタと、
上記第１の直交変調器の出力信号の位相をシフトする第２の位相シフタと、
上記第２の直交変調器の出力信号の位相をシフトする第３の位相シフタと、
上記受信信号の位相をシフトする第４の位相シフタと、
上記第１の位相シフタの出力信号と上記第１の直交変調器の出力信号とを加算する第１の加算器と、
上記受信信号と上記第２の位相シフタの出力信号とを加算する第２の加算器と、
上記受信信号と上記第３の位相シフタの出力信号とを加算する第３の加算器と、
上記第２の直交変調器の出力信号と上記第４の位相シフタの出力信号とを加算する第４の加算器と、
上記第１の加算器の出力信号の信号レベルを検波する第１の検波器と、
上記第２の加算器の出力信号の信号レベルを検波する第２の検波器と、
上記第３の加算器の出力信号の信号レベルを検波する第３の検波器と、
上記第４の加算器の出力信号の信号レベルを検波する第４の検波器と、
上記第１の検波器の出力に対して所定のフィルタリング処理を行う第１のフィルタと、
上記第２の検波器の出力に対して所定のフィルタリング処理を行う第２のフィルタと、
上記第３の検波器の出力に対して所定のフィルタリング処理を行う第３のフィルタと、
上記第４の検波器の出力に対して所定のフィルタリング処理を行う第４のフィルタと、
上記第１および第２のフィルタの出力に基づいて第１のノルムを計算する第１のノルム回路と、
上記第３および第４のフィルタの出力に基づいて第２のノルムを計算する第２のノルム回路と、
上記第１のノルムと第２のノルム間の差がゼロに近づいて減少するように上記制御信号を生成する制御信号生成手段と
を有する請求項１７記載のスペクトル拡散受信機。
【請求項２３】 上記ローカル拡散コード同期保持回路は、
制御信号の値に基づいて上記同相ローカル拡散コードを生成する第１のローカル拡散コード生成器と、
制御信号の値に基づいて上記直交ローカル拡散コードを生成する第２のローカル拡散コード生成器と、
所定の時間だけ上記生成された同相ローカル拡散コードを遅延させる第１の位相調整手段と、
所定の時間だけ上記生成された直交ローカル拡散コードを遅延させる第２の位相調整手段と、
所定の時間だけ上記生成された同相ローカル拡散コードを進行させる第３の位相調整手段と、
所定の時間だけ上記生成された直交ローカル拡散コードを進行させる第４の位相調整手段と、
上記ローカル信号と上記第１の位相調整手段の出力信号を乗算する第１の乗算器と、
上記ローカル信号と上記第２の位相調整手段の出力信号を乗算する第２の乗算器と、
上記ローカル信号と上記第３の位相調整手段の出力信号を乗算する第３の乗算器と、
上記ローカル信号と上記第４の位相調整手段の出力信号を乗算する第４の乗算器と、
上記受信信号と上記第１の乗算器の出力信号とを加算する第１の加算器と、
上記受信信号と上記第２の乗算器の出力信号とを加算する第２の加算器と、
上記受信信号と上記第３の乗算器の出力信号とを加算する第３の加算器と、
上記受信信号と上記第４の乗算器の出力信号とを加算する第４の加算器と、
上記第１の加算器の出力信号の信号レベルを検波する第１の検波器と、
上記第２の加算器の出力信号の信号レベルを検波する第２の検波器と、
上記第３の加算器の出力信号の信号レベルを検波する第３の検波器と、
上記第４の加算器の出力信号の信号レベルを検波する第４の検波器と、
上記第１の検波器の出力に対して所定のフィルタリング処理を行う第１のフィルタと、
上記第２の検波器の出力に対して所定のフィルタリング処理を行う第２のフィルタと、
上記第３の検波器の出力に対して所定のフィルタリング処理を行う第３のフィルタと、
上記第４の検波器の出力に対して所定のフィルタリング処理を行う第４のフィルタと、
上記第１および第２のフィルタの出力に基づいて第１のノルムを計算する第１のノルム回路と、
上記第３および第４のフィルタの出力に基づいて第２のノルムを計算する第２のノルム回路と、
上記第１のノルムと第２のノルム間の差がゼロに近づいて減少するように上記制御信号を生成する制御信号生成手段と
を有する請求項１７記載のスペクトル拡散受信機。
【請求項２４】  上記ダイレクトコンバージョン回路は、
上記ローカル信号と上記ローカル拡散コードを乗算し、リファレンスローカル信号として出力する乗算器と、
受信信号の位相をシフトする第１の位相シフタと、
上記リファレンスローカル信号の位相をシフトする第２の位相シフタと、
上記リファレンスローカル信号と上記第１の位相シフタの出力信号とを加算する第１の加算器と、
受信信号と上記第２の位相シフタの出力信号とを加算する第２の加算器と、
上記第１の加算器の出力の信号レベルを検波する第１の検波器と、
上記第２の加算器の出力の信号レベルを検波する第２の検波器と
を有する請求項１８記載のスペクトル拡散受信機。
【請求項２５】  上記ダイレクトコンバージョン回路は、
上記同相および直交ローカル拡散コードにより上記ローカル信号を変調し、リファレンスローカル信号として出力する直交変調器と、
受信信号の位相をシフトする第１の位相シフタと、
上記リファレンスローカル信号の位相をシフトする第２の位相シフタと、
上記リファレンスローカル信号と上記第１の位相シフタの出力信号とを加算する第１の加算器と、
受信信号と上記第２の位相シフタの出力信号とを加算する第２の加算器と、
上記第１の加算器の出力の信号レベルを検波する第１の検波器と、
上記第２の加算器の出力の信号レベルを検波する第２の検波器と
を有する請求項１９記載のスペクトル拡散受信機。
【請求項２６】  所定の拡散コードによりある帯域に拡散されたスペクトル拡散信号を受信するソフトウェア無線用スペクトル拡散受信機であって、
所定周波数のローカル信号を出力するローカル発振器と、
受信信号および上記ローカル発振器によるローカル信号に基づいて同期および同期保持のデジタル処理を介してローカル拡散コードを生成するローカル拡散コード同期保持手段と、
上記ローカル発振器によるローカル信号および上記ローカル拡散コード同期保持手段によるローカル拡散コードに基づいてリファレンスローカル信号を生成し、受信信号および上記ローカルリファレンス信号に基づいて位相差を有する２つの信号を生成し、上記位相差を持つ２つの信号に基づいて逆拡散を行うダイレクトコンバージョン回路と
を有するスペクトル拡散受信機。
【請求項２７】  上記ローカル拡散コード同期保持回路は、
制御信号の値に基づいて上記同相ローカル拡散コードを生成する第１のローカル拡散コード生成器と、
制御信号の値に基づいて上記直交ローカル拡散コードを生成する第２のローカル拡散コード生成器と、
所定の時間だけ上記生成された同相および直交ローカル拡散コードを遅延させる第１の位相調整手段と、
所定の時間だけ上記生成された同相および直交ローカル拡散コードを進行させる第２の位相調整手段と、
上記第１の位相調整手段の出力信号により上記ローカル信号を変調する第１の直交変調器と、
上記第２の位相調整手段の出力信号により上記ローカル信号を変調する第２の直交変調器と、
上記受信信号の位相をシフトする第１の位相シフタと、
上記第１の直交変調器の出力信号の位相をシフトする第２の位相シフタと、
上記第２の直交変調器の出力信号の位相をシフトする第３の位相シフタと、
上記受信信号の位相をシフトする第４の位相シフタと、
上記第１の位相シフタの出力信号と上記第１の直交変調器の出力信号とを加算する第１の加算器と、
上記受信信号と上記第２の位相シフタの出力信号とを加算する第２の加算器と、
上記受信信号と上記第３の位相シフタの出力信号とを加算する第３の加算器と、
上記第２の直交変調器の出力信号と上記第４の位相シフタの出力信号とを加算する第４の加算器と、
上記第１の加算器の出力信号の信号レベルを検波する第１の検波器と、
上記第２の加算器の出力信号の信号レベルを検波する第２の検波器と、
上記第３の加算器の出力信号の信号レベルを検波する第３の検波器と、
上記第４の加算器の出力信号の信号レベルを検波する第４の検波器と、
上記第１の検波器の出力に対して所定のフィルタリング処理を行う第１のフィルタと、
上記第２の検波器の出力に対して所定のフィルタリング処理を行う第２のフィルタと、
上記第３の検波器の出力に対して所定のフィルタリング処理を行う第３のフィルタと、
上記第４の検波器の出力に対して所定のフィルタリング処理を行う第４のフィルタと、
上記第１および第２のフィルタの出力アナログ信号をデジタル信号に変換する第１のアナログ−デジタル（Ａ／Ｄ）変換手段と、
上記第３および第４のフィルタの出力アナログ信号をデジタル信号に変換する第２のＡ／Ｄ変換手段と、
上記第１のＡ／Ｄ変換手段と第２のＡ／Ｄ変換手段の出力間の差がゼロに近づいて減少するように上記制御信号を生成するデジタル処理手段と
を有する請求項２６記載のスペクトル拡散受信機。